Podtech/llm-jp-corpus-v4-ja_patent huggingface dataset:
【手続補正書】
【提出日】平成22年12月3日(2010.12.3)
【手続補正１】
【補正対象書類名】特許請求の範囲
【補正対象項目名】全文
【補正方法】変更
【補正の内容】
【特許請求の範囲】
【請求項１】
マトリクッス形状で配置されたゲートラインとデータラインとを有し、画像を表示する表示パネルと、
前記ゲートラインを駆動するゲート駆動部と、
前記データラインに低階調画像信号と高階調画像信号とブラックインパルシブ信号とを一つのフレーム内に供給するデータ駆動部と、
を含むことを特徴とする表示装置。
【請求項２】
前記データ駆動部は、一つのフレームを第１、第２、第３サブフレームに分割し、各サブフレーム毎に前記低階調画像信号、高階調画像信号、ブラックインパルシブ信号のうちいずれか一つを互いに異なるように選択し、前記データラインに供給することを特徴とする請求項１記載の表示装置。
【請求項３】
前記データ駆動部は、前記第１、第２、第３サブフレームのうち最後のフレームに前記ブラックインパルシブ信号を供給することを特徴とする請求項２記載の表示装置。
【請求項４】
前記低階調画像信号と前記高階調画像信号との平均値は、正常階調画像信号と同一であることを特徴とする請求項２記載の表示装置。
【請求項５】
前記低階調画像信号は、階調全体のうち中間階調より低い階調でグレイ輝度値を有することを特徴とする請求項４記載の表示装置。
【請求項６】
前記ブラックインパルシブ信号は、階調全体でブラック階調電圧値を有することを特徴とする請求項４記載の表示装置。
【請求項７】
前記データ駆動部は、一つのフレームを第１、第２、第３、第４サブフレームに分割し、各サブフレーム毎に前記低階調画像信号、高階調画像信号、ブラックインパルシブ信号、ブラックインパルシブ信号に対応する補償信号のうちいずれか一つを互いに異なるように選択し、前記データラインに供給することを特徴とする請求項１記載の表示装置。
【請求項８】
前記ブラックインパルシブ信号は、階調全体のうち中間階調より高い階調でグレイ輝度値を有することを特徴とする請求項７記載の表示装置。
【請求項９】
前記低階調画像信号と前記高階調画像信号との平均値は、正常階調画像信号と同一であることを特徴とする請求項８記載の表示装置。
【請求項１０】
前記低階調画像信号は、階調全体のうち中間階調より低い階調でグレイ輝度値を有することを特徴とする請求項９記載の表示装置。
【請求項１１】
前記データ駆動部は、前記第１、第２、第３、第４サブフレームのうち最後のサブフレームに前記ブラックインパルシブ信号を供給することを特徴とする請求項１０記載の表示装置。
【請求項１２】
前記補償信号と前記ブラックインパルシブ信号との平均値は、正常階調画像信号と同一であることを特徴とする請求項１１記載の表示装置。
【請求項１３】
マトリクッス形状に配置されたゲートラインとデータラインとを有し、画像を表示する表示パネルと、
前記表示パネルに光を供給するバックライトユニットと、
前記ゲートラインを駆動するゲート駆動部と、
前記データラインに低階調画像信号と高階調画像信号とを一つのフレーム内に供給するデータ駆動部と、
一つのフレーム内で一定時間の間前記バックライトユニットをオフさせるバックライト駆動部と、
を含むことを特徴とする表示装置。
【請求項１４】
前記データ駆動部は、一つのフレームを第１、第２サブフレームに分割し、各サブフレーム毎に前記低階調画像信号と高階調画像信号とのうち選択されるいずれか一つを互いに異なるようにして印加することを特徴とする請求項１３記載の表示装置。
【請求項１５】
前記低階調画像信号と高階調画像信号との平均値は、正常階調画像信号と同一であることを特徴とする請求項１４記載の表示装置。
【請求項１６】
前記低階調画像信号は、階調全体のうち中間階調より低い階調でグレイ輝度値を有することを特徴とする請求項１５記載の表示装置。
【請求項１７】
前記バックライト駆動部は、一つフレームのスタート時点からブラックインパルシブ時点までは前記バックライトユニットをオンさせ、前記ブラックインパルシブ時点から一つのフレームの終了時点までは前記バックライトユニットをオフさせることを特徴とする請求項１５記載の表示装置。
【請求項１８】
前記ブラックインパルシブ時点は、一つのフレームの中間時点以上の時点であることを特徴とする請求項１７記載の表示装置。
【手続補正書】
【提出日】平成22年11月25日(2010.11.25)
【手続補正１】
【補正対象書類名】特許請求の範囲
【補正対象項目名】全文
【補正方法】変更
【補正の内容】
【特許請求の範囲】
【請求項１】
画像生成システムであって、
下流方向に移動する受像表面と、
前記受像表面に第一の画像を付与する第一のマーキングステーションと、
前記第一のマーキングステーションの下流にあり、前記受像表面に第二の画像を付与する第二のマーキングステーションと、
前記移動する受像表面に関する時変情報を出力する第一と第二の測定装置と、
前記第一と第二のマーキングステーション及び前記第一と第二の測定装置と通信し前記時変情報を受信するとともに、方程式またはルックアップテーブルを用いて前記第一と第二のマーキングステーションの少なくとも一方のための修正済みの作動タイミングを決定するように構成され、前記決定の際に、補正前の前記作動タイミングが設定されたときの前記受像表面に掛かる張力からの張力変化を求めるために前記第一と第二の測定装置によって供給された前記情報が利用される制御システムと、
を備えることを特徴とする画像生成システム。
【請求項２】
請求項１に記載の画像生成システムであって、
前記第一の測定装置は、前記受像表面の速度と位置のうちの少なくとも一方における変化を監視可能にする情報を供給し、前記第二の測定装置は、
前記受像表面の張力の変化と、
前記受像表面の速度と位置のうちの少なくとも一方における変化のうちの少なくとも一方の監視を可能にする情報を供給することを特徴とする画像生成システム。
【請求項３】
位置合わせシステムであって、
移動する受像表面に関する時変情報を出力する第一と第二の測定装置と、
前記第一と第二の測定装置からの時変情報に基づき、互いに関連付けられた第一と第二のマーキングステーションに関する相対的作動タイミングを決定し、前記受像表面から離れた位置から前記第一及び第二のマーキングステーションによって付与される画像の位置合わせに当たり、前記受像表面の張力及び速度の変動を取り入れた方程式またはルックアップテーブルを用いる制御システムと、
を備えることを特徴とする位置合わせシステム。
【請求項４】
請求項４記載の位置合わせシステムであって、
前記第一と第二の測定装置は、それぞれ、エンコーダ、運動センサ、張力計測器からなるグループ、またはその組合せ、または複数の同じ要素からなるグループから選択されたデバイスを備えることを特徴とする位置合わせシステム。
【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
基材と、
その上の電荷発生層と、
その上の、低分子電荷輸送物質と、ポリアリールアミンポリエステル、ポリアシルアミン、およびそれらの混合物および組合せからなる群より選択される高分子成分とを含む第一の電荷輸送層と、
前記第一の電荷輸送層の上に配置された第二の電荷輸送層であって、前記第二の電荷輸送層が低分子電荷輸送物質およびバインダを含み、前記第二の電荷輸送層がポリアリールアミンポリエステルおよびポリアシルアミンをまったく含まない、第二の電荷輸送層と、
トリメチルシリルで末端キャップしたポリジメチルジフェニルシランを含む界面活性剤であって、前記界面活性剤が、前記電荷輸送層または前記電荷発生層に含まれる、界面活性剤と、
を含む、画像形成部材。
【請求項２】
前記ポリアリールアミンが、次の構造を有する縮合ポリマーである、請求項１に記載の画像形成部材。
【化１】
2008139888.tif 000001
ここで、ｎは、約１０〜約１０，０００である。
【請求項３】
前記ポリアシルアミンが、次の構造を有する物質を含む、請求項１に記載の画像形成部材。
【化２】
2008139888.tif 000002
【請求項４】
画像形成部材を調製するための方法であって、
基材の上に電荷発生層を堆積させる工程と、
前記電荷発生層の上に、低分子電荷輸送物質と、ポリアリールアミンポリエステル、ポリアシルアミン、およびそれらの混合物および組合せからなる群より選択される高分子成分と、を含む第一の電荷輸送層を堆積させる工程と、
前記第一の電荷輸送層の上に第二の電荷輸送層を堆積させる工程であって、前記第二の電荷輸送層が低分子電荷輸送物質およびバインダを含み、前記第二の電荷輸送層がポリアリールアミンポリエステル、ポリアシルアミン、およびそれらの混合物および組合せからなる群より選択される高分子成分をまったく含まない、第二の電荷輸送層を堆積させる工程と、
トリメチルシリルで末端キャップしたポリジメチルジフェニルシランを含む界面活性剤を添加する工程であって、前記界面活性剤が、前記電荷輸送層または前記電荷発生層に含まれる、工程と、
を含む、方法。
【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
外部から映像データを受信して所定の順序に再配置し、再配置後の映像データを第１制御信号と共に出力し、かつ、その出力のタイミングに合わせて第２制御信号を出力するタイミングコントローラ、
極性の異なる基準電圧を１水平周期以下の所定の周期で交互に入力し、前記第１制御信号に従って前記再配置後の映像データを前記基準電圧に基づいてデータ電圧に変換することにより、極性の異なるデータ電圧を前記所定の周期で交互に出力するライン反転駆動チップ、
前記第２制御信号に応じてゲート信号を出力するゲート駆動回路、及び、
マトリクス状に配置された複数の画素であり、各画素行には少なくとも２つの画素群が交互に配置され、異なる画素行で異なる画素群が同じゲート信号に応じて同じ極性のデータ電圧を受ける複数の画素、を含む表示パネル、
を有する表示装置。
【請求項２】
各画素行は先頭の画素から順に１以上の画素ごとに異なる画素群に分けられている、請求項１に記載の表示装置。
【請求項３】
２つの連続する画素行を第１画素行と第２画素行とするとき、前記第１画素行の第１画素群と前記第２画素行の第２画素群とは第１極性のデータ電圧を受け、前記第１画素行の第２画素群と前記第２画素行の第１画素群とは、前記第１極性とは逆の第２極性のデータ電圧を受ける、請求項１に記載の表示装置。
【請求項４】
前記表示パネルは、
前記ゲート駆動回路に接続され、画素マトリクスの間を行方向に延び、異なる画素行の異なる画素群に同じゲート信号を伝達する複数のゲートライン、及び、
前記ライン反転駆動チップに接続され、画素マトリクスの間を列方向に延びて前記複数のゲートラインと交差し、画素列ごとにデータ電圧を伝達する複数のデータライン、
をさらに含む、請求項３に記載の表示装置。
【請求項５】
２つの連続する画素行を第１画素行と第２画素行とするとき、前記複数のゲートラインはそれぞれ、
前記第１画素行の第１画素群に接続された第１サブゲートライン、
前記第２画素行の第２画素群に接続された第２サブゲートライン、及び、
前記第１サブゲートラインと前記第２サブゲートラインとの間を接続する接続ライン、
を含む、請求項４に記載の表示装置。
【請求項６】
前記第１サブゲートラインは複数であり、前記第１画素行の第１画素群に含まれている所定数の画素ごとに１つずつ接続され、
前記第２サブゲートラインは複数であり、前記第２画素行の第２画素群に含まれている所定数の画素ごとに１つずつ接続され、
前記接続ラインは複数であり、それぞれが前記第１サブゲートラインの１つと前記第２サブゲートラインの１つとの間を接続している、
請求項５に記載の表示装置。
【請求項７】
前記第１サブゲートラインと前記第２サブゲートラインとは画素マトリクスの行方向に延び、前記接続ラインは画素マトリクスの列方向に延びている、請求項１に記載の表示装置。
【請求項８】
前記第１サブゲートラインと前記第２サブゲートラインとは同じ層に形成され、前記接続ラインは前記複数のデータラインと同じ層に形成されている、請求項７に記載の表示装置。
【請求項９】
前記第１サブゲートラインは前記第１画素行の全体に延び、前記第２サブゲートラインは前記第２画素行の全体に延びている、請求項1に記載の表示装置。
【請求項１０】
前記接続ラインは前記表示パネルの周辺領域において前記第１サブゲートラインと前記第２サブゲートラインとの間を接続している、請求項９に記載の表示装置。
【手続補正２】
【補正対象書類名】明細書
【補正対象項目名】発明の名称
【補正方法】変更
【補正の内容】
【発明の名称】表示装置
【手続補正３】
【補正対象書類名】明細書
【補正対象項目名】０００１
【補正方法】変更
【補正の内容】
【０００１】
本発明は表示装置に関する。
【手続補正４】
【補正対象書類名】明細書
【補正対象項目名】０００５
【補正方法】変更
【補正の内容】
【０００５】
フリッカーの抑制効果については、ライン反転駆動方式よりドット反転駆動方式の方が優れている。しかし、駆動系統の簡素化についてはドット反転駆動方式よりライン反転駆動方式の方が容易である。特にライン反転駆動方式ではドット反転駆動方式とは異なり、データ駆動部を単独のチップ、又は一群のチップに組み込むことが容易である。以下、そのチップをライン反転駆動チップという。従って、ライン反転駆動方式はドット反転駆動方式より表示装置の小型化／薄型化及び工程性に優れている。それ故、フリッカーの抑制効果を高く維持したまま、表示装置の更なる小型化／薄型化を実現するには、ライン反転駆動方式とドット反転駆動方式との両方の長所をいずれも生かすことのできる技術が望ましい。
【手続補正書】
【提出日】平成23年9月6日(2011.9.6)
【手続補正１】
【補正対象書類名】明細書
【補正対象項目名】０００３
【補正方法】変更
【補正の内容】
【０００３】
この方法は、磁場センサの測定精度の検査が、測定の精度を限定する、一連のエラーの影響を受ける、という欠点を有している。即ち、例えば励磁コイル内の電流とそれに伴って基準磁場の磁束密度が、電流源及び／又は励磁コイルの温度変動に基づいて、予め定められた目標値からずれることがあり得る。個々の半導体チップも、励磁コイルに位置決めする場合に、位置決め誤差に基づいて励磁コイルに対して異なる間隔で配置されることがあり得る。従って、この方法を用いて検査された磁場センサは、比較的大きい許容誤差を有している。しかし、例えば電子的なエンジン制御装置に内燃機関の絞り弁の位置をフィードバックするための磁場センサのような、安全上重要な適用においては、極めて小さい測定許容誤差が要求され、それを維持することは、この方法では達成できず、或いは多大な手間によってしか達成できない。
本発明の従来技術として、米国公開特許公報 US 2006/0049823 (特開2006-24845号公報)、米国特許公報 US 7,183,763 (特開2007-147568号公報)、米国特許公報 US 5,514,953、米国公開特許公報 US 2009/0079449が挙げられる。
【手続補正書】
【提出日】平成23年1月19日(2011.1.19)
【手続補正１】
【補正対象書類名】明細書
【補正対象項目名】００６３
【補正方法】変更
【補正の内容】
【００６３】
＜第一ポリアリーレン系樹脂組成物ペレット＞
先ず、ポリフェニレンサルファイド樹脂（株式会社クレハ製、フォートロンＫＰＳ；樹脂温度３１０℃、せん断速度１２００ｓｅｃ−１における溶融粘度１４０Ｐａ・ｓ）９２．５質量％とオレフィン系エラストマー（エチレン／グリシジルメタクリレート共重合体７０質量部にメチルメタクリレート／ブチルアクリレート共重合体（９／１２）を３０質量部グラフト重合させた共重合体（日本油脂株式会社製、モディパーＡ４３００））７．５質量％をヘンシャルミキサーで予備混合した。
【手続補正２】
【補正対象書類名】明細書
【補正対象項目名】００７７
【補正方法】変更
【補正の内容】
【００７７】
図４から分かるように、本実施例のヒーターパイプは、ポリフェニレンサルファイド樹脂を用いることにより、十分な耐不凍液性を持つパイプとなる。
【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
被検体を載せる天板と、
天板移動手段を有し、上記天板を支持し、移動させる寝台本体と、
上記天板に取り付け取り外しが可能な延長天板と、
を備え、上記天板が移動することにより、上記被検体が撮影空間に移動されることを特徴とする医用画像診断装置用寝台。
【請求項２】
請求項１記載の医用画像診断装置用寝台において、
上記天板と上記天板移動手段とを連結する連結手段を複数備えることを特徴とする医用画像診断装置用寝台。
【請求項３】
請求項１記載の医用画像診断装置用寝台において、
上記天板は、上記天板と上記天板移動手段とが第１の位置で連結される第１の連結手段と、上記天板と上記天板移動手段とが、上記延長天板が取り付け取り外しされる第２の位置で連結される第２の連結手段と、上記第１の連結手段と上記天板移動手段及び上記第２の連結手段と上記天板移動手段との連結を解除する解除手段とを有することを特徴とする医用画像診断装置用寝台。
【請求項４】
請求項３記載の医用画像診断装置用寝台において、上記寝台本体は、上記延長天板が、上記天板に取り付けられた状態で、上記天板と上記天板移動手段とが、上記第２の位置で連結されているか否かを検出する検知手段を有することを特徴とする医用画像診断装置用寝台。
【請求項５】
請求項１乃至４のいずれか一項記載の医用画像診断装置用寝台を備えることを特徴とする医用画像診断装置。
【請求項６】
請求項５記載の医用画像診断装置において、上記寝台の延長天板は、上記天板の上記撮影空間への移動方向端部側に接続されることを特徴とする医用画像診断装置。
【手続補正２】
【補正対象書類名】明細書
【補正対象項目名】発明の名称
【補正方法】変更
【補正の内容】
【発明の名称】医用画像診断装置用寝台および、医用画像診断装置
【手続補正書】
【提出日】平成23年3月29日(2011.3.29)
【手続補正１】
【補正対象書類名】特許請求の範囲
【補正対象項目名】全文
【補正方法】変更
【補正の内容】
【特許請求の範囲】
【請求項１】
機体の前部に格納した格納位置と、前記格納位置から前方に移動し地上から操作可能な作業位置とに位置変更可能な操作具を備え、
前記格納位置と前記作業位置との間に中間位置を設定し、前記中間位置と前記作業位置との間で、前輪デフ機構がデフロック状態に操作されるように構成してある乗用型田植機。
【請求項２】
前記操作具とは別のデフロック操作具を運転部のフロアに備え、前記デフロック操作具により前記前輪デフ機構がデフロック状態に操作されるように構成してある請求項１記載の乗用型田植機。
【請求項３】
前記デフロック操作具の動作が前記操作具側に伝達されるのを阻止する阻止手段を備えてある請求項２記載の乗用型田植機。
【請求項４】
前記操作具に、植付走行時の照準となる照準部材を備えてある請求項１〜３のいずれか一項に記載の乗用型田植機。
【請求項５】
前記操作具に、機体を停止させる機体停止スイッチを備えてある請求項１〜４のいずれか一項に記載の乗用型田植機。
【請求項６】
地上から前記作業位置における操作具を下方に向けて押圧することにより、前記操作具を介して機体の前部を押し下げ操作可能に構成してある請求項１〜５のいずれか一項に記載の乗用型田植機。
【請求項７】
前記格納位置と前記作業位置との間の範囲の一部において、ブレーキ装置が制動側に操作されるように又は主クラッチが切り側に操作されるように構成してある請求項１〜６のいずれか一項に記載の乗用型田植機。
【請求項８】
前記操作具が前輪を右及び左に操向操作する操縦ハンドルである請求項１〜７のいずれか一項に記載の乗用型田植機。
【請求項９】
前記操作具を前後方向にスライド操作自在に構成して、前記操作具を後方にスライド操作することにより前記操作具を前記格納位置に位置変更し、前記操作具を前方にスライド操作することにより前記操作具を前記作業位置に位置変更するように構成してある請求項１〜７のいずれか一項に記載の乗用型田植機。
【請求項１０】
前記操作具を前記格納位置から所定長さだけ前方にスライド操作した位置を前記中間位置として設定してある請求項９記載の乗用型田植機。
【手続補正２】
【補正対象書類名】明細書
【補正対象項目名】００２４
【補正方法】変更
【補正の内容】
【００２４】
本発明の第６特徴によると、操作具を用いての畦越え作業の作業性を更に向上できる。
［ＶＩＩ］
（構成）
本発明の第７特徴は、本発明の第１〜第６特徴の乗用型田植機において、次のように構成することにある。
前記格納位置と前記作業位置との間の範囲の一部において、ブレーキ装置が制動側に操作されるように又は主クラッチが切り側に操作されるように構成してある。
［ＶＩＩＩ］
（構成）
本発明の第８特徴は、本発明の第１〜第７特徴の乗用型田植機において、次のように構成することにある。
前記操作具が前輪を右及び左に操向操作する操縦ハンドルである。
［ＩＸ］
（構成）
本発明の第９特徴は、本発明の第１〜第７特徴の乗用型田植機において、次のように構成することにある。
前記操作具を前後方向にスライド操作自在に構成して、前記操作具を後方にスライド操作することにより前記操作具を前記格納位置に位置変更し、前記操作具を前方にスライド操作することにより前記操作具を前記作業位置に位置変更するように構成してある。
［Ｘ］
（構成）
本発明の第１０特徴は、本発明の第９特徴の乗用型田植機において、次のように構成することにある。
前記操作具を前記格納位置から所定長さだけ前方にスライド操作した位置を前記中間位置として設定してある。
【手続補正３】
【補正対象書類名】明細書
【補正対象項目名】０１２１
【補正方法】変更
【補正の内容】
【０１２１】
４          運転部
１３        フロア
１９        ブレーキ装置
２６        主クラッチ
４０        前輪デフ機構
４４        デフロックペダル（デフロック操作具）
６０        操作アーム（操作具）
６０Ｃ      センターマスコット（照準部材）
７０Ａ      第１長穴（阻止手段）
８０        機体停止スイッチ
Ａ          格納位置
Ｃ          中間位置
Ｄ          作業位置
Ｈ          操縦ハンドル
【手続補正書】
【提出日】平成23年6月14日(2011.6.14)
【手続補正１】
【補正対象書類名】特許請求の範囲
【補正対象項目名】全文
【補正方法】変更
【補正の内容】
【特許請求の範囲】
【請求項１】
中枢神経系における異常なアミロイド沈着を罹患する哺乳動物において、認知不全を減弱するための組成物であって、該組成物は、認知不全を減弱するのに有効な量のＡβペプチドを含有する、組成物。
【請求項２】
前記異常なアミロイド沈着がＡβ沈着である、請求項１に記載の組成物。
【請求項３】
前記ＡβペプチドがＡβ４２である、請求項１または２に記載の組成物。
【請求項４】
前記哺乳動物が、アルツハイマー病に罹患しているヒトである、請求項１〜３のいずれか１項に記載の組成物。
【請求項５】
中枢神経系において異常なアミロイド沈着を罹患している哺乳動物において認知不全を減弱するための医薬の製造のためのＡβペプチドの使用。
【請求項６】
前記ＡβペプチドがＡβ４２である、請求項５に記載の使用。
【請求項７】
前記医薬がアルツハイマー病の予防または処置のための医薬である、請求項５または６に記載の使用。
【手続補正書】
【提出日】平成23年1月28日(2011.1.28)
【手続補正１】
【補正対象書類名】特許請求の範囲
【補正対象項目名】全文
【補正方法】変更
【補正の内容】
【特許請求の範囲】
【請求項１】
遊技盤の盤面上に形成された遊技領域から遊技者の位置する前方側とは反対側の後方側に向かう入賞領域へ遊技球を導入するために、前記遊技領域における流下方向を上下方向としその交差方向を左右方向として開口する入賞口を有し、前記遊技盤に固定される遊技機用入賞装置であって、
前記遊技盤と平行状で左右方向に延びる回動軸線周りで回動可能に配置され、前記遊技盤に沿って起立することにより前記入賞口を閉鎖して遊技球の前記入賞領域への導入を不能とする閉鎖位置と、前記遊技領域へ交差状に突出することにより前記入賞口を開放して遊技球の前記入賞領域への導入を可能とする開放位置とに変位する入賞扉と、
前記入賞口の左右方向一端部側において、前後方向に直線的に変位する駆動部材を前方側の突出位置と後方側の後退位置とでそれぞれ保持することにより、前記入賞扉を前記回動軸線周りで回動して前記閉鎖位置と開放位置とに変位させるためのリニアアクチュエータと、
前記駆動部材の前端部に取り付けられ、その駆動部材と一体的に前後移動する連結部材と、
それら入賞扉とリニアアクチュエータとの間に配置され、前記回動軸線よりも後方においてその回動軸線と平行状に配置された揺動軸線を有するとともに、前記連結部材の係合部と択一的に当接可能な一対の当接面を含む当接部が前記係合部と係合する伝達部材とを備え、
前記連結部材における係合部と前記伝達部材における当接部とは、前記連結部材が前記突出位置から後退位置へ移動するとき、前記係合部が第一当接面との当接状態から第二当接面との当接状態へ移行するに伴い前記伝達部材が一方向側に回転して、前記入賞扉を前記閉鎖位置から開放位置へ回動変位させる一方、前記連結部材が前記後退位置から突出位置へ移動するとき、前記係合部が前記第二当接面との当接状態から前記第一当接面との当接状態へ移行するに伴い前記伝達部材が他方向側に回転して、前記入賞扉を前記開放位置から閉鎖位置へ回動変位させる伝達機構を構成するとともに、
前記伝達部材における当接部の第一当接面と前記連結部材における係合部とは、前記入賞扉を前記閉鎖位置から開放位置へ回動変位させようとする外力が前記入賞扉に加えられたとき、互いに当接して前記伝達部材の一方向側への回転を阻止するロック機構を構成することを特徴とする遊技機用入賞装置。
【請求項２】
前記揺動軸線方向から見て、前記第一当接面と第二当接面とが所定の交差角で対向して交差することによって、前記当接部は前記伝達部材の外周縁の一部を除去して前方側に開放された開口を有する切欠部に形成され、
前記連結部材の係合部は、前記揺動軸線方向に突出して前記切欠部に配置されている請求項１に記載の遊技機用入賞装置。
【請求項３】
前記第一当接面は、前記連結部材の係合部の下方に位置するとともに、前記連結部材が前記突出位置へ移動したときに水平面又は後方側ほど低位となる傾斜面となるように形成され、前記外力が前記入賞扉に加えられたとき、前記連結部材の係合部に下側から当接して前記伝達部材の回転を阻止する請求項１又は２に記載の遊技機用入賞装置。
【請求項４】
請求項１ないし３のいずれか１項に記載の遊技機用入賞装置が前記遊技盤に固定配置されたことを特徴とする遊技機。
【手続補正書】
【提出日】平成23年2月24日(2011.2.24)
【手続補正１】
【補正対象書類名】特許請求の範囲
【補正対象項目名】全文
【補正方法】変更
【補正の内容】
【特許請求の範囲】
【請求項１】
伸縮性を備えた素材を有する靴本体と、
弾性を備えた素材を有する首部と、
逆止弁を有して前記靴本体に設けられた吸出口とを有する靴であって、
前記首部から当該靴に足を挿入した場合において、前記吸出口から前記靴本体内の空気を吸い出すと、前記首部が足首に密着するとともに、前記靴本体が収縮して前記足にフィットすることを特徴とする靴。
【請求項２】
伸縮性を備えた素材を有する手袋本体と、
弾性を備えた素材を有する首部と、
逆止弁を有して前記手袋本体に設けられた吸出口とを有する手袋であって、
前記首部から当該手袋に手首を挿入した場合において、前記吸出口から前記手袋本体内の空気を吸い出すと、前記首部が手首に密着するとともに、前記手袋本体が収縮して前記手首にフィットすることを特徴とする手袋。
【請求項３】
伸縮性を備えた素材を有する被服装具本体と、
弾性を備えた素材を有する首部と、
逆止弁を有して前記被服装具本体に設けられた吸出口とを有する被服装具であって、
当該被服装具を身体の一部に装着した場合において、前記吸出口から前記被服装具本体内の空気を吸い出すと、前記首部が前記身体の一部に密着するとともに、前記被服装具本体が収縮して前記身体の一部にフィットすることを特徴とする被服装具。
【手続補正２】
【補正対象書類名】明細書
【補正対象項目名】０００８
【補正方法】変更
【補正の内容】
【０００８】
かかる目的を達成するために、本発明に係る靴は、伸縮性を備えた素材を有する靴本体と当該靴本体に足を挿入した状態で当該足の足首に密着し得る弾性を備えた素材を有する首部とを有し、前記靴本体には外部から当該靴本体内の空気を吸い出すための吸出口を備え、当該吸出口には、前記靴本体外部からの空気の入り込みを防止するための弁を備え、前記吸出口から空気を抜くことにより、前記靴本体を収縮させて、足に密着（フィット）することを特徴として構成される。
また、かかる目的を達成するために、本発明に係る手袋は、伸縮性を備えた素材を有する手袋本体と当該手袋本体に手を挿入した状態で当該手の手首に密着可能な弾性を備えた素材を有する首部とを有し、前記手袋本体には外部から当該手袋本体内の空気を吸い出すための吸出口を備え、当該吸出口には、前記手袋本体外部からの空気の入り込みを防止するための弁を備え、前記吸出口から空気を抜くことにより、前記手袋本体を収縮させて、手に密着（フィット）することを特徴として構成される。
また、本発明に係る被服装具は、伸縮性を備えた素材を有する被服装具本体と、弾性を備えた素材を有する首部と、逆止弁を有して前記被服装具本体に設けられた吸出口とを有し、当該被服装具を身体の一部に装着した場合、前記吸出口から前記被服装具本体内の空気を吸い出すと、前記首部が前記身体の一部に密着するとともに、前記被服装具本体が収縮して身体の一部に密着（フィット）することを特徴として構成される。
【手続補正３】
【補正対象書類名】明細書
【補正対象項目名】００３８
【補正方法】変更
【補正の内容】
【００３８】
以上、説明したように、本発明に係る被服装具によれば、足を挿入した際に足首部分の靴内部の空気を外へ逃がさないよう足首と首部を好適にフィットさせることができる。また、歩行・走行時にもずれを生じさせずに利用可能である。さらに、ひもを使用せずに足を靴に固定させることから、ひもを有する靴の欠点を防止することができる。加えて、本発明に係る靴にポンプ等の簡易な器具を接続することで、足を挿入し靴を履く際には、かかる器具により靴内部の空気を簡単に排出させ、一方、靴を脱ぐ際には靴内に空気を簡単に流入させることが可能である。しかも、ひもを備えない構造から、耐空気抵抗性を高く保持することができる。さらに、これらを比較的簡便な構造で実現することが可能である。
【手続補正４】
【補正対象書類名】明細書
【補正対象項目名】００４０
【補正方法】変更
【補正の内容】
【００４０】
なお、本発明は、上述した実施形態に限定されるものでなく、その技術思想の同一及び等価に及ぶ範囲において上述した実施形態への様々な変形、追加、置換、拡大、縮小等を許容するものである。たとえば、上述の説明では靴として説明したが、靴に限定されず、かかる形態をとらないものでも、本発明に係る技術的思想は適用可能である。具体的には、上記の説明における足首を手首に置き換えることにより、同じ思想を手袋について実現することができる。その詳細については上記の説明をもって替えるものとし、ここでの記載は省略する。
【手続補正５】
【補正対象書類名】明細書
【補正対象項目名】００４１
【補正方法】変更
【補正の内容】
【００４１】
また、上述したものは本発明に係る技術思想を具現化するための実施形態の一例を示したにすぎないものであり、他の実施形態でも本発明に係る技術思想を適用することが可能である。たとえば、上記では靴として説明したが、ヘルメット等その他適用可能な装具によって実現する可能性を排除するものではない。これらはすべて本発明の技術思想の範囲に含まれる。
【手続補正６】
【補正対象書類名】明細書
【補正対象項目名】００４２
【補正方法】変更
【補正の内容】
【００４２】
さらに、たとえば、上記の説明においては、靴単体として本発明の技術思想を説明したが、本発明は、これらの被服装具が集合的に形成される被服装置として実現してもよく、本発明はこれらの実施形態も包含するものである。
【手続補正７】
【補正対象書類名】明細書
【補正対象項目名】００４３
【補正方法】変更
【補正の内容】
【００４３】
また、本発明を用いて生産される装置、方法、システムが、その２次的生産品に登載されて商品化された場合であっても、本発明の価値は何ら減ずるものではない。
【手続補正書】
【提出日】平成23年1月28日(2011.1.28)
【手続補正１】
【補正対象書類名】特許請求の範囲
【補正対象項目名】全文
【補正方法】変更
【補正の内容】
【特許請求の範囲】
【請求項１】
複数の図柄が回転表示される図柄表示手段と、
前記図柄表示手段における図柄の回転表示を開始させる図柄始動制御手段と、
特別役を含む当選役を抽選する役抽選手段と、
前記役抽選手段の抽選結果に応じて前記図柄始動制御手段により開始された回転表示の停止を制御する回転停止制御手段と、
前記抽選結果が前記特別役であるとき、前記回転停止制御手段が回転表示の結果として特別役に対応する図柄の組み合わせを表示可能に制御され、表示結果として前記特別役に対応する図柄の組み合わせが表示されたとき、遊技者に特典を付与する特典遊技を実行する特別遊技実行手段と、
前記特別役に対応する図柄の組み合わせが表示可能となった旨を遊技者に確信させる確定表示が行われる確定表示部と、
前記確定表示部に対する感情移入された接触行為を検出する想接検出手段と、
前記想接検出手段により前記接触行為が検出され、表示結果として前記特別役に対応する図柄の組み合わせが表示可能となっているときに、前記確定表示部にて応答演出を実行する応答演出実行手段と、を備える
ことを特徴とする遊技機。
【請求項２】
前記図柄表示手段は、液晶表示装置として設けられてなる
請求項１に記載の遊技機。
【請求項３】
前記図柄表示手段では、複数列の図柄による変動表示が行われる
請求項１または２に記載の遊技機。
【手続補正書】
【提出日】平成23年1月28日(2011.1.28)
【手続補正１】
【補正対象書類名】特許請求の範囲
【補正対象項目名】全文
【補正方法】変更
【補正の内容】
【特許請求の範囲】
【請求項１】
所定の表示面を有する表示装置と、
複数の遊技状態の間での移行制御を含めて、遊技の進行にかかる制御を行う主制御手段と、
前記遊技の進行にかかる状態情報を前記主制御手段から取得し、該状態情報に基づいて常には実行されない特別演出を含めて、遊技の進行状況を示唆する遊技演出が前記表示面にて現れるように前記表示装置についての表示制御を行う副制御手段と、を備え、
前記副制御手段は、
前記複数の遊技状態のうち、予め定められた有利遊技状態に制御されているときに限り、前記特別演出を行うか否かについての演出抽選を行うとともに、該演出抽選にて所定の結果が得られたことを契機に前記特別演出を行う旨決定するアクティブ制御手段、及び
前記複数の遊技状態のうち、予め定められた有利遊技状態に制御されているときに限り、前記表示面のうちの前記特別演出が行われる領域に対して遊技者によるアクションがあったことを契機に前記特別演出を行う旨決定するアンサーバック制御手段
を有しており、
前記アクティブ制御手段及び前記アンサーバック制御手段の少なくとも一方による前記決定に基づいて、前記有利遊技状態に制御されたときには前記常には実行されない特別演出が一転して実行可能とされるようにした
ことを特徴とする遊技機。
【請求項２】
前記表示装置は、液晶表示装置として設けられてなる
請求項１に記載の遊技機。
【請求項３】
前記表示装置では、図柄による変動表示が行われる
請求項１または２に記載の遊技機。
【手続補正書】
【提出日】平成23年1月31日(2011.1.31)
【手続補正１】
【補正対象書類名】明細書
【補正対象項目名】０００７
【補正方法】変更
【補正の内容】
【０００７】
そして、前者の問題に関しては、工事現場で発生した伐採木のチップと、同じ工事現場で発生した発生土と、バーク堆肥のような有機質土壌改良材と、光合成細菌のような植物生育促進用微生物とを必須成分とする緑化質材と、それを用いた吹き付け緑化工法が提案されている（特許文献１を参照）。
この先行技術は、工事に際して、工事現場から除去した伐採樹木と表土を再び工事現場に戻しているという点で、生チップと表土を有効利用しつつ、地域全体の生態系における遺伝子情報や環境保全にも貢献しているものと考えられる。
【特許文献１】特開２００６−２０５５３号公報
【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
遊技領域が設けられる遊技板と、
前記遊技領域に向けた遊技球の発射を外部から指示することで遊技を進行させうる発射指示手段と、
前記発射指示手段を介した外部からの指示により、所定の発射位置から前記遊技領域に向けて遊技球を発射可能な発射手段と、
前記遊技領域に設けられ、前記発射手段により発射された遊技球を受け入れ可能な受入口と、
前記受入口への遊技球の受け入れを検出する受入検出手段と、
前記遊技領域に設けられ、前記発射手段により発射された遊技球の入賞が不可能な拒球態様と遊技球の入賞が許容される許球態様との間で変位可能な開閉入賞口と、
前記開閉入賞口への遊技球の入賞を検出する開閉入賞検出手段と、
遊技球を貯留可能であると共に、貯留される遊技球が前記発射位置に案内可能に構成された貯留案内部と、
少なくとも前記開閉入賞検出手段による遊技球の入賞検出に基づいて、前記貯留案内部に向けた遊技球の払い出しを制御する払出制御手段と、
前記遊技領域に向けて発射された遊技球数に対して前記払出制御手段により払い出される遊技球数の割合としての出玉率を一時的に向上させうる抽選処理を、前記受入検出手段による遊技球の受入検出に基づいて行う遊技球払出抽選手段と、
前記遊技球払出抽選手段による抽選結果が教示表示される結果教示表示手段と、
前記遊技球払出抽選手段による前記抽選処理の結果が当たりであるときに限り、前記開閉入賞口を前記拒球態様から前記許球態様に変位させて、第１の遊技価値としての遊技球を付与しうることで前記出玉率を一時的に向上させうる第１遊技価値付与手段と、を備える遊技機であって、
さらに、
前記遊技の進行に応じて、前記遊技球とは異なる所定の品物を第２の遊技価値として付与することで、前記出玉率に影響を与えることなく当該第２の遊技価値を随時に付与しうる第２遊技価値付与手段と、
前記第２遊技価値付与手段により付与されうる前記所定の品物を収容可能な品物収容手段と、
前記品物収容手段に前記所定の品物が収容されているか否かを検出する品物検出手段と、を備えると共に、
前記品物収容手段は、
前記所定の品物を収容可能な凹部が形成された収容部、および、当該収容部に収容される所定の品物の取り出しが不可能となる閉位置と当該所定の品物の取り出しが可能となる開位置との間で開閉作動可能な扉部、を有しており、
前記第２遊技価値付与手段は、
常には前記閉位置にある前記扉部を前記開位置に作動させることによって、前記所定の品物を付与すると共に、
前記品物収容手段に前記所定の品物が収容されていないと前記品物検出手段により検出されたことに応じて、前記開位置にある前記扉部を前記閉位置に作動させる
ことを特徴とする遊技機。
【請求項２】
前記遊技球払出抽選手段は、
前記受入検出手段による遊技球の受入検出に基づいて乱数を取得し、該取得した乱数に基づいて、前記出玉率を一時的に向上させるようにするか否かを決定する
請求項１に記載の遊技機。
【請求項３】
前記結果教示表示手段は、液晶表示器である
請求項１または２に記載の遊技機。
【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
遊技領域が設けられる遊技板と、
前記遊技領域に向けた遊技球の発射を外部から指示することで遊技を進行させうる発射指示手段と、
前記発射指示手段を介した外部からの指示により、所定の発射位置から前記遊技領域に向けて遊技球を発射可能な発射手段と、
前記遊技領域に設けられ、前記発射手段により発射された遊技球を受け入れ可能な受入口と、
前記受入口への遊技球の受け入れを検出する受入検出手段と、
前記遊技領域に設けられ、前記発射手段により発射された遊技球の入賞が不可能な拒球態様と遊技球の入賞が許容される許球態様との間で変位可能な開閉入賞口と、
前記開閉入賞口への遊技球の入賞を検出する開閉入賞検出手段と、
遊技球を貯留可能であると共に当該貯留される遊技球を前記発射位置に案内可能な貯留案内部と、
少なくとも前記開閉入賞検出手段による検出に基づいて、前記貯留案内部に向けた遊技球の払い出しを制御する払出制御手段と、
前記受入検出手段による前記受入口への遊技球の受入検出に基づいて当落の抽選処理を行いうる抽選手段と、
前記抽選手段による前記抽選処理の結果が教示表示される結果教示表示手段と、
前記抽選手段による前記抽選処理の結果が当たりであるときに限り、前記開閉入賞口を前記拒球態様から前記許球態様に変位させることで、第１の遊技価値としての遊技球を付与しうる第１遊技価値付与手段と、を備えると共に、
前記遊技の進行に応じて前記遊技球とは異なる品物を第２の遊技価値として付与しうる第２遊技価値付与手段と、
前記第２遊技価値付与手段により付与されうる前記品物を収容可能な品物収容手段と、をさらに備えており、
前記品物収容手段は、
前記貯留案内部の一部に配置され、前記品物を収容可能な所定深さの凹部が形成された収容部材を有する本体部と、
前記凹部を被覆することで前記本体部からの前記品物の出し入れが不可能となる閉位置と、当該凹部を開放することで前記本体部からの前記品物の出し入れが可能となる開位置と、の間で変位しうる扉部と、
前記本体部内に配置され、前記扉部を前記閉位置と前記開位置との間で作動させうる扉開閉機構と、を有しており、
前記扉開閉機構は、所定の一軸を作動軸として前記本体部内で前記扉部を作動させることで、当該扉部を前記閉位置と前記開位置との間で変位させうる
ことを特徴とする遊技機。
【請求項２】
前記抽選手段は、
前記受入検出手段による遊技球の受入検出に基づいて乱数を取得し、該取得した乱数に基づいて、前記当落の抽選処理を行う
請求項１に記載の遊技機。
【請求項３】
前記演出表示制御手段は、液晶表示器である
請求項１または２に記載の遊技機。
【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
遊技領域が設けられる遊技板と、
前記遊技領域に向けた遊技球の発射を外部から指示することで遊技を進行させうる発射指示手段と、
前記発射指示手段を介した外部からの指示により、所定の発射位置から前記遊技領域に向けて遊技球を発射可能な発射手段と、
遊技球を貯留可能であると共に、貯留される遊技球が前記発射位置に案内可能に構成される貯留案内手段と、
前記遊技領域に設けられ、前記発射手段により発射された遊技球を受け入れ可能な受入口と、
前記受入口への遊技球の受け入れを検出する受入検出手段と、
前記貯留案内手段に向けた遊技球の払い出しを制御する払出制御手段と、
前記受入検出手段による遊技球の受入検出に基づいて、前記払出制御手段による遊技球の払い出しにかかわる抽選処理を所定の確率で行う抽選手段と、
前記抽選手段による前記抽選処理の結果が教示表示される結果教示表示手段と、
前記抽選処理の結果が当たりであるときに限り、第１の遊技価値としての遊技球が多量に払い出されうる大当たり遊技を実行することで、当該遊技領域に向けて発射された遊技球数に対して前記払出制御手段により払い出される遊技球数の割合としての出玉率を一時的に向上させうる第１遊技価値付与手段と、を備えると共に、
前記遊技の進行に応じて、第２の遊技価値を付与しうる第２遊技価値付与手段、をさらに備えており、
前記第２遊技価値付与手段は、
前記抽選処理が行われたか否かにかかわらず、前記第２の遊技価値として前記遊技球とは異なる所定の品物を随時に付与可能とすることで、前記出玉率に影響を与えることなく遊技価値を付与しうる
ことを特徴とする遊技機。
【請求項２】
前記抽選手段は、
前記受入検出手段による遊技球の受入検出に基づいて乱数を取得し、該取得した乱数に基づいて、前記出玉率を一時的に向上させるようにするか否かを決定する
請求項１に記載の遊技機。
【請求項３】
前記結果教示表示手段は、液晶表示器である
請求項１または２に記載の遊技機。
【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
遊技領域が設けられる遊技板と、
前記遊技板の下部に配置される下部構成部と、
前記下部構成部に設けられ、前記遊技領域に向けた遊技球の発射を外部から指示することで遊技を進行させうる発射指示手段と、
前記発射指示手段を介した外部からの指示により、所定の発射位置から前記遊技領域に向けて遊技球を発射可能な発射手段と、
前記下部構成部に設けられ、遊技球を貯留可能であると共に、貯留される遊技球が前記発射位置に案内可能に構成される貯留案内部と、
前記遊技領域に設けられ、前記発射手段により発射された遊技球を受け入れ可能な受入口と、
前記受入口への遊技球の受け入れを検出する受入検出手段と、
前記遊技領域に設けられ、常には遊技球の入賞が不可能な閉状態であると共に、当該閉状態と遊技球の入賞が可能な開状態とに開閉作動可能な開閉入賞口と、
前記開閉入賞口への遊技球の入賞を検出する開閉入賞検出手段と、
少なくとも前記開閉入賞検出手段による遊技球の入賞検出に基づいて、前記貯留案内部に向けた遊技球の払い出しを制御する払出制御手段と、
前記遊技領域に向けて発射された遊技球数に対して前記払出制御手段により払い出される遊技球数の割合としての出玉率を一時的に向上させうる抽選処理を、前記受入検出手段による遊技球の受入検出に基づいて行う遊技球払出抽選手段と、
前記遊技球払出抽選手段による抽選結果が教示表示される結果教示表示手段と、
第１の遊技価値として遊技球を付与しうる第１状態を作出する第１状態作出手段と、を備える遊技機であって、
さらに、
第２の遊技価値として前記遊技球とは異なる所定の品物を付与しうる第２状態を作出する第２状態作出手段と、
前記下部構成部に設けられ、前記第２の遊技価値としての前記所定の品物を収容可能な収容部、および、当該収容部に収容される所定の品物の取り出しが不可能な閉位置と当該所定の品物の取り出しが可能な開位置との間で開閉作動可能な扉部、を有する品物収容手段と、を備えており、
前記第１状態作出手段は、
前記遊技球払出抽選手段による抽選結果が当たりであるときに限り、常には前記閉状態である前記開閉入賞口を開閉作動させることで、前記第１の遊技価値としての遊技球が付与されうる第１状態を作出することによって前記出玉率を一時的に向上させる一方、
前記第２状態作出手段は、
前記遊技の進行に応じて、前記扉部を開閉作動させることで、前記出玉率に影響を与えることなく前記第２の遊技価値としての前記所定の品物が付与されうる第２状態を随時に作出する
ことを特徴とする遊技機。
【請求項２】
前記遊技球払出抽選手段は、
前記受入検出手段による遊技球の受入検出に基づいて乱数を取得し、該取得した乱数に基づいて、前記出玉率を一時的に向上させるようにするか否かを決定する
請求項１に記載の遊技機。
【請求項３】
前記結果教示表示手段は、液晶表示器である
請求項１または２に記載の遊技機。
【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
遊技領域が設けられる遊技板と、
前記遊技板の下方に設けられる下部構成部と、
前記下部構成部に設けられ、前記遊技領域に向けた遊技球の発射を外部から指示することで遊技を進行させうる発射指示手段と、
前記発射指示手段を介した外部からの指示により、所定の発射位置から前記遊技領域に向けて遊技球を発射可能な発射手段と、
所定の演出が表示される演出表示手段と、
前記遊技領域に設けられ、遊技球の受け入れが可能な受入口と、
前記受入口への遊技球の受け入れを検出する受入検出手段と、
前記遊技領域に設けられ、前記発射手段により発射された遊技球の入賞が不可能な拒球態様と遊技球の入賞が許容される許球態様との間で変位可能な開閉入賞口と、
前記開閉入賞口への遊技球の入賞を検出する開閉入賞検出手段と、
前記下部構成部に設けられ、遊技球を貯留可能であると共に当該貯留される遊技球を前記発射位置に案内可能な貯留案内手段と、
少なくとも前記開閉入賞検出手段による検出に基づいて、前記貯留案内手段に向けた遊技球の払い出しを制御する払出制御手段と、
前記受入検出手段による前記受入口への遊技球の受入検出に基づいて当落の抽選処理を行う抽選手段と、
前記抽選手段による前記抽選処理の結果に応じて前記演出表示手段に表示される演出の表示制御を行う演出表示制御手段と、
前記下部構成部に設けられ、前記演出表示手段に表示される演出の内容を外部からの操作により変化させうる操作部を有する演出操作ユニットと、
前記抽選手段による前記抽選処理の結果が当たりであるときに限り、前記開閉入賞口を前記拒球態様から前記許球態様に変位させることで、遊技価値としての遊技球を付与しうる遊技価値付与手段と、を備え、
前記下部構成部は、
前記遊技価値付与手段により付与されうる前記遊技球とは異なる品物を収容可能であると共に前記演出操作ユニットが設けられる領域に対応して構成された品物収容ユニットを、当該演出操作ユニットと取替可能に構成されている
ことを特徴とする遊技機。
【請求項２】
前記抽選手段は、
前記受入検出手段による遊技球の受入検出に基づいて乱数を取得し、該取得した乱数に基づいて、前記当落の抽選処理を行う
請求項１に記載の遊技機。
【請求項３】
前記演出表示制御手段は、液晶表示器である
請求項１または２に記載の遊技機。
【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
遊技領域が設けられる遊技板と、
前記遊技板の下方に配置される下部構成部と、
前記下部構成部に設けられ、前記遊技領域に向けた遊技球の発射を外部から指示することで遊技を進行させうる発射指示手段と、
前記発射指示手段を介した外部からの指示により、所定の発射位置から前記遊技領域に向けて遊技球を発射可能な発射手段と、
前記遊技領域に設けられ、前記発射手段により発射された遊技球を受け入れ可能な受入口と、
前記受入口への遊技球の受け入れを検出する受入検出手段と、
前記遊技領域に設けられ、前記発射手段により発射された遊技球の入賞が不可能な拒球態様と遊技球の入賞が許容される許球態様との間で変位可能な開閉入賞口と、
前記開閉入賞口への遊技球の入賞を検出する開閉入賞検出手段と、
前記下部構成部に設けられ、遊技球を貯留可能であると共に当該貯留される遊技球を１球ずつ前記発射位置に案内可能な貯留案内手段と、
少なくとも前記開閉入賞検出手段による検出に基づいて、前記貯留案内手段に向けた遊技球の払い出しを制御する払出制御手段と、
前記受入検出手段による前記受入口への遊技球の受入検出に基づいて当落の抽選処理を行いうる抽選手段と、
前記抽選手段による前記抽選処理の結果が教示表示される結果教示表示手段と、
前記抽選手段による前記抽選処理の結果が当たりであるときに限り、前記開閉入賞口を前記拒球態様から前記許球態様に変位させることで、第１の遊技価値としての遊技球を付与しうる第１遊技価値付与手段と、を備える遊技機であって、
前記遊技の進行に応じて、前記遊技球とは異なる品物を第２の遊技価値として付与しうる第２遊技価値付与手段と、
前記下部構成部に設けられ、前記第２遊技価値付与手段により付与されうる前記品物を収容可能な品物収容手段と、をさらに備えており、
前記品物収容手段は、
前記貯留案内手段の近傍に配置され、前記所定の品物を上方から載置可能であるように所定深さの凹部が形成された載置部材を有する本体部と、
前記凹部が開放される開位置と、当該凹部が閉じられる閉位置と、の間で変位しうる扉部と、
前記開位置と前記閉位置との間で変位するように前記扉部を作動させうる扉開閉機構と、を有すると共に、
前記扉開閉機構は、
前記扉部を遊技者側から遊技機側に向けて作動させることによって、当該扉部を前記開位置から前記閉位置に変位させる
ことを特徴とする遊技機。
【請求項２】
前記抽選手段は、
前記受入検出手段による遊技球の受入検出に基づいて乱数を取得し、該取得した乱数に基づいて、前記当落の抽選処理を行う
請求項１に記載の遊技機。
【請求項３】
前記演出表示制御手段は、液晶表示器である
請求項１または２に記載の遊技機。